(57)【要約】      （修正有）【課題】開放操作性に優れる蓋開閉構造を提供する。【解決手段】開口部を閉塞するパッキン部材を有する筐体と、ヒンジ部14で連結されパッキン部材が開口部を閉塞する閉位置と開放する開位置との間で軸線まわりに回動するホルダ15と、ホルダに軸線と交わる方向にスライド可能に係合部で係合した蓋13と、蓋を軸線から離隔方向に付勢する第１付勢部材と、蓋に取り付けられホルダに対するスライドを規制する第１位置と許容する第２位置とを移動可能なノブ12と、ノブを第１位置に向け付勢する第２付勢部材31とを備える。係合部は、蓋の一方側に形成した第１係合部１５ｇと他方側に形成した第２係合部15hとを含む。第１付勢部材は第１係合部及び第２係合部それぞれの外側に隣接配置した第１スライド用付勢部材32及び第２スライド用付勢部材33を含む。【選択図】図４
2019102764.tif 000002
【特許請求の範囲】
【請求項１】
筐体の開口部を強嵌合で閉塞するパッキン部材と、
前記パッキン部材が取り付けられると共に前記筐体とヒンジ部で連結され、前記パッキン部材が前記開口部を閉塞する閉位置と開放する開位置との間で前記ヒンジ部の軸線まわりに回動するホルダと、
前記ホルダに、前記軸線と交わる方向に所定ストロークでスライド移動を可能とする係合部で係合した蓋と、
前記蓋を前記軸線から離れる方向に付勢するスライド用付勢部材と、
前記蓋に取り付けられ前記ホルダに対するスライドを規制する第１の位置と許容する第２の位置とを移動可能なロック解除ノブと、
前記ロック解除ノブを前記第１の位置に向け付勢するロック用付勢部材と、
を備え、
前記係合部は、前記蓋を前記軸線に沿う方向に二分したときの一方側に形成された第１の係合部と、他方側に形成された第２の係合部と、を含み、
前記スライド用付勢部材は、前記第１の係合部及び前記第２の係合部それぞれの外側に隣接配置された第１のスライド用付勢部材及び第２のスライド用付勢部材を含み構成された防水型の蓋開閉構造。
【請求項２】
前記蓋を二分する線が、前記蓋の前記軸線に沿う長さの半分の位置にあるときに、前記二分する線に対し、前記第１の係合部と前記第２の係合部とが等距離に位置していることを特徴とする請求項１記載の防水型の蓋開閉構造。
【請求項３】
前記ロック解除ノブにおいて前記ホルダに向かって突出形成された摺動子と、
前記ホルダにおいて前記摺動子が前記スライド移動に伴い係合摺動するカム部と、を有し、
前記ロック用付勢部材は、前記カム部を平面視したときに前記摺動子を貫く仮想線上で前記ロック解除ノブを付勢し、
前記カム部は、前記蓋のスライド移動において、前記摺動子に対し前記ロック用付勢部材の付勢力に基づく前記蓋を前記軸線から離す方向に付勢する分力を生じさせる傾斜経路を有していることを特徴とする請求項１又は請求項２に記載の防水型の蓋開閉構造。
【請求項４】
前記蓋及び前記筐体により構成され、前記蓋が前記所定ストロークにおける前記軸線から遠い側の端部近傍以外にあるときに前記筐体と係合可能となり前記ヒンジ部まわりの回動を規制し、前記端部近傍にあるときに前記筐体と非係合となって前記ヒンジ部まわりの回動を許容するよう構成された筐体係合部を有することを特徴とする請求項１〜３のいずれか１項に記載の防水型の蓋開閉構造。
【請求項５】
前記筐体係合部を、前記蓋における前記軸線に沿った方向の一対の縁部と前記軸線から遠い縁部との少なくとも３箇所に有することを特徴とする請求項４記載の防水型の蓋開閉構造。
【請求項６】
請求項１〜５のいずれか１項に記載の防水型の蓋開閉構造を備え、
前記パッキン部材が開位置にあるときに、外部から前記開口部を通して、カードを挿抜可能なカードスロット又はプラグを挿抜可能なコネクタを備えていることを特徴とする防水型の蓋開閉構造を備えた電子機器。
【発明の詳細な説明】
【技術分野】
【０００１】
本発明は、防水型の蓋開閉構造及びそれを備えた電子機器に係る。
【背景技術】
【０００２】
電子機器の筐体に設けられた防水型の開閉蓋が知られており、特許文献１には、その開閉蓋を備えたカメラが記載されている。
【先行技術文献】
【特許文献】
【０００３】
【特許文献１】特開２００３−１５２３５１号公報
【発明の概要】
【発明が解決しようとする課題】
【０００４】
特許文献１に記載された従来の開閉蓋は、筐体の側面と後面との稜線部に設けられてカードなどを収容する収納部を開閉する蓋であって、閉状態でロック可能となっている。
この蓋を開けるときは、筐体の底面に配置された蓋開放ツマミをスライドしてロックを解除し、次いで蓋を回動させる。
【０００５】
そのため、蓋を開けるときには、蓋開放ツマミのスライド操作と蓋の回動操作という２つの独立した操作が必要となり、手間がかかるという問題があった。
また、２つの独立した操作は、筐体上の異なる部位に対して行うため、使用者にとって蓋の開放操作とその方法を、直感的に理解しにくいという問題があった。
そのため、従来の防水型の開閉蓋に対しては、開放操作性をより向上させることが望まれていた。
【０００６】
そこで、本発明が解決しようとする課題は、開放操作性に優れた防水型の蓋開閉構造及び電子機器を提供することにある。
【課題を解決するための手段】
【０００７】
上記の課題を解決するために、本発明は次の１），２）の構成を有する。
１）  筐体の開口部を強嵌合で閉塞するパッキン部材と、
前記パッキン部材が取り付けられると共に前記筐体とヒンジ部で連結され、前記パッキン部材が前記開口部を閉塞する閉位置と開放する開位置との間で前記ヒンジ部の軸線まわりに回動するホルダと、
前記ホルダに、前記軸線と交わる方向に所定ストロークでスライド移動を可能とする係合部で係合した蓋と、
前記蓋を前記軸線から離れる方向に付勢するスライド用付勢部材と、
前記蓋に取り付けられ前記ホルダに対するスライドを規制する第１の位置と許容する第２の位置とを移動可能なロック解除ノブと、
前記ロック解除ノブを前記第１の位置に向け付勢するロック用付勢部材と、
を備え、
前記係合部は、前記蓋を前記軸線に沿う方向に二分したときの一方側に形成された第１の係合部と、他方側に形成された第２の係合部と、を含み、
前記スライド用付勢部材は、前記第１の係合部及び前記第２の係合部それぞれの外側に隣接配置された第１のスライド用付勢部材及び第２のスライド用付勢部材を含み構成された防水型の蓋開閉構造である。
２）  １）に記載の防水型の蓋開閉構造を備え、
前記パッキン部材が開位置にあるときに、外部から前記開口部を通して、カードを挿抜可能なカードスロット又はプラグを挿抜可能なコネクタを備えていることを特徴とする防水型の蓋開閉構造を備えた電子機器である。
【発明の効果】
【０００８】
本発明によれば、開放操作性に優れる、という効果が得られる。
【図面の簡単な説明】
【０００９】
【図１】図１は、本発明の実施の形態に係る電子機器の実施例１であるビデオカメラ５１を示す斜視図である。
【図２】図２は、ビデオカメラ５１が備える蓋開閉構造Ｋの動作を説明するための第１の図である。
【図３】図３は、蓋開閉構造Ｋの動作を説明するための第２の図である。
【図４】図４は、蓋開閉構造Ｋが備える蓋体１１の組立図である。
【図５】図５は、蓋体１１が備える蓋１３を示す平面図である。
【図６】図６は、図５におけるＳ０６−Ｓ０６位置での断面図である。
【図７】図７は、（ａ）図１におけるＳ０７−Ｓ０７位置での断面図、（ｂ）蓋体１１が備えるロック解除ノブ１２の平面図である。
【図８】図８は、蓋体１１が備えるホルダ１５を示す平面図である。
【図９】図９は、図８におけるＳ０９−Ｓ０９位置での断面図である。
【図１０】図１０は、ホルダ１５に形成されたカム溝１５ａを示す平面図である。
【図１１】図１１は、蓋開閉構造Ｋの構造を説明するための模式図である。
【発明を実施するための形態】
【００１０】
本発明の実施の形態に係る防水型の蓋開閉構造及びそれを備えた電子機器を、実施例の蓋開閉構造Ｋ及びそれを備えたビデオカメラ５１により説明する。
【００１１】
（実施例）
図１は、蓋開閉構造Ｋ及びそれを備えたビデオカメラ５１を示す左後ろ斜め上方から見た斜視図である。
以下、説明の便宜のため、ビデオカメラ５１の前後左右上下の各方向を、図１に示した矢印で規定する。前方は撮像する被写体側となる。
【００１２】
ビデオカメラ５１は、筐体１ａを有する本体部１と、本体部１の左側面において、上下に延びる軸線ＣＬ１まわりに回動開閉（矢印ＤＲａ）する画像表示部２と、本体部１の右側面側に設けられ、本体部１を把持する使用者の手の甲にあてがわれるグリップベルト３と、を有する。
本体部１の上面１ｂにはズームボタン１ｂ１が配置されている。また、後面１ｃの右上部には録画のスタート／ストップを操作する録画ボタン１ｃ１が配置され、概ね左半分が収納部Ｓとされている。
【００１３】
ビデオカメラ５１は、収納部Ｓの開口部Ｓａを、閉状態において防水状態で塞ぎ開状態で内部を開放する開閉蓋体１１（以下、単に蓋体１１とも称する）を有する。
蓋体１１は、指で押し下げ操作可能なロック解除ノブ１２を有する。この例において、ロック解除ノブ１２は、蓋体１１の概ね中央に配置されている。
【００１４】
蓋体１１は、次に説明する操作で開けることができる。構造の理解を容易にするため、その開放操作及び態様について、図２〜図４を参照して詳細構造に先だって説明しておく。
図２及び図３は、蓋体１１の開放操作に伴う態様を示した部分斜視図であり、図４は、蓋体１１の組立図である。
【００１５】
閉状態の蓋体１１を開ける際には、使用者は、まず、図１の状態のロック解除ノブ１２を指で押し下げる（矢印ＤＲ１）。
ロック解除ノブ１２は、付勢部材としてのノブ用コイルばね３１（図４参照）の圧縮反発力によって上方に適度に付勢されているので、使用者は、その圧縮反発力に抗してロック解除ノブ１２を押し下げる。
【００１６】
ロック解除ノブ１２を押し下げることにより、蓋体１１の外装部材である蓋１３の、内装部材であるホルダ１５（図４参照）に対する左方移動の規制が外れる。
これにより、蓋１３は、付勢部材として内部に配置された一対のスライド用コイルばね３２，３３（図４参照）の圧縮反発力によって自ずと左方へ所定ストロークでスライド移動する（図２：矢印ＤＲ２）。
【００１７】
図２に示されるように、蓋１３の左方へのスライド移動に伴い、蓋体１１を上下に延びる軸線ＣＬ１１まわりに回動可能に支持するヒンジ部１４が外部に露出する。ヒンジ部１４は、内装部材のホルダ１５と本体部１の筐体１ａとの回動係合部である。
そして、蓋１３の左方へのスライド移動で、蓋１３の上方視反時計まわり方向（矢印ＤＲ５）の回動を部材干渉によって規制していた係合部Ｋａ（図１参照）の係合が解除され、その回動は許容状態となる。
【００１８】
係合部Ｋａは、図１に概ねの場所を符号で示されているように、上係合部Ｋａ１，下係合部Ｋａ２，及び側方係合部Ｋａ３の３箇所である。
図３を参照して説明すると、上係合部Ｋａ１は、筐体１ａの収納部Ｓの上縁外側近傍に左右方向に延びて形成された上溝部１ａ１と、蓋１３の内面上部において、下方に突出しスライド移動で上溝部１ａ１内へ進退係合する上リブ１３ｂ１と、を含み構成されている。
下係合部Ｋａ２は、筐体１ａの収納部Ｓの下縁外側近傍に左右方向に延びて形成された下溝部１ａ２と、蓋１３の内面下部において、上方に向け閉状態で下溝部１ａ２内へ進退係合する下リブ１３ｂ２と、を含み構成されている。
側方係合部Ｋａ３は、筐体１ａの収納部Ｓの左縁外側近傍に左右上下方向に広がるように形成されたポケット状の空間を有するポケット部１ａ３と、蓋１３におけるヒンジ部１４から遠い側の側縁部において、ヒンジ部１４に向かって突出し、スライド移動でポケット部１ａ３に進退係合する側方リブ１３ｂ３と、を含み構成されている。
【００１９】
ヒンジ部１４は、閉状態での蓋体１１の位置規制、及び後述するパッキンプレート１６の収納部Ｓへの強嵌合による位置規制を優先するため、上下方向及び径方向において、筐体１ａに対する蓋体１１の若干の移動を許容している。すなわち、いわゆる遊びを意図的に設けてある。
【００２０】
ヒンジ部１４には、蓋体１１を、上方視で反時計回り方向（開く方向）に付勢するねじりコイルばね３４（図４参照）が備えられている。
このねじりコイルばね３４の回転付勢力により、蓋体１１は、軸線ＣＬ１１の上方視反時計まわり方向に付勢されているものの、蓋体１１は、パッキンプレート１６と収納部Ｓへの強嵌合により、図２の状態を維持する。
【００２１】
パッキンプレート１６は、図３において、概ね全体がシリコーンゴムで覆われ少なくとも周縁部１６ａの全周が延在方向に圧縮弾性を有しており、収納部Ｓの開口周壁２１の内面２１ａと強嵌合している。
その強嵌合での嵌合摩擦力が、ねじりコイルばね３４に基づく回動力に勝るように設定されているので、蓋体１１は、図２の状態を維持する。
【００２２】
一方、蓋１３の左方へのスライド移動により、図２に示されるように、蓋１３の左縁部１３ａが筐体１ａから左方に張り出すと共に、係合部Ｋａにおける蓋１３と筐体１ａとの係合が解除される。
そのため、使用者が左縁部１３ａを指で後方に、パッキンプレート１６と収納部Ｓとの間の嵌合摩擦力を超える力で押すことで（図２：矢印ＤＲ４）、パッキンプレート１６は収納部Ｓから離脱し、蓋体１１は、ねじりコイルばね３４の回転付勢力によって、自ずと軸線ＣＬ１１まわりに回動し（図３：矢印ＤＲ５）、図３に示される開状態となって収納部Ｓの内部が開放される。
【００２３】
収納部Ｓの内部には、複数のカードスロット４１，４２、外部機器とデータや信号を送受信するための複数の接続端子４３，４４、マイク入力端子４５などが備えられている。
蓋体１１の回動角度は、９０°以上とされているので、カードスロット４１，４２へのカード挿抜や、接続端子４３，４４及びマイク入力端子４５に対するプラグの挿抜は容易に行える。
【００２４】
蓋体１１を開状態から閉状態にする際には、まず、指により蓋体１１を矢印ＤＲ５とは反対方向（上方視時計回り方向）に回動させて閉じ、図２の状態にする。このときの回動ストロークの最後の部分は、パッキンプレート１６が収納部Ｓへ強嵌合する部分となるので、抵抗力が増す。
【００２５】
この蓋体１１の回動では、筐体１ａに対する蓋体１１の角度が所定の角度以下にならないと、係合部Ｋａにおける溝やポケット部の係合が進行しないように、すなわち、次の操作である蓋体１１の右方向へのスライド移動ができないように寸法や形状等が設定されている。
換言するならば、蓋体１１を閉じたときには、パッキンプレート１６が収納部Ｓを強嵌合で十分塞ぐ位置に達することにより、次に行う蓋体１１の右方へのスライド移動が可能になっている。
【００２６】
蓋体１１を右方にスライド移動させる際には、スライド用コイルばね３２，３３の圧縮反発力に抗する力に加えて、ロック解除ノブ１２を付勢するノブ用コイルばねの付勢力に抗する力が必要である。
ロック解除ノブ１２は、図１におけるＳ０７−Ｓ０７位置での断面図である図７(ａ)に示されるように、ホルダ１５に形成された一対のカム溝１５ａ，１５ｂ内を摺動する摺動子となる一対のボス１２ａ，１２ｂを有している。
詳しくは、蓋１３の右方へのスライド移動の最終位置で、一対のボス１２ａ，１２ｂは、カム溝１５ａ，１５ｂにおける上下方向に延びるロック部（後述の経路ＣＲ２）へ進入して蓋１３のスライド移動がロックされるようになっている。
ロック解除ノブ１２は、摺動性に優れた材料で形成される。材料例はポリアセタール樹脂である。
【００２７】
以上説明した蓋体１１の開閉動作は、次に詳述する蓋開閉構造Ｋによって実現している。
【００２８】
蓋１３は、閉状態における前方視の平面図として図５に示される。図５における上下左右の方向は、閉状態での方向に対応している。
蓋１３は、上下方向に長い長丸状の外形を呈し、その材質例はガラス繊維強化ＰＣ（ポリカーボネート）樹脂である。
蓋１３の中央部には、ロック解除ノブ１２の突出した操作部１２ｃ〔図４及び図７（ａ）参照〕が進入係合して上下動可能な上下に長い開口部１３ｄが形成されている。
蓋１３の内面１３ｅの周縁には、周壁部１３ｆが立設している（図３も参照）。
蓋１３の上部における周壁部１３ｆの先端部位には、既述の上リブ１３ｂ１が左右下方に延在するよう突出している。
蓋１３の下部における周壁部１３ｆの先端部位には、既述の下リブ１３ｂ２が左右上方に延在するよう突出している。
【００２９】
蓋１３の内面１３ｅには、ロック解除ノブ１２を蓋１３との間に挟んで押さえる押さえ板１７（図４）の一対の突部１７ａ，１７ａを係止する係止部１３ｅ１，１３ｅ１と、一端が係止された押さえ板１７を固定するためのねじＮ１（図４）が螺着されるねじ受けボス１３ｅ２が設けられている。
また、内面１３ｅには、開口部１３ｄの下方に、ノブ用コイルばね３１（図４）の下端を受けるばね受けリブ１３ｅ３が突出形成されている。
また、内面１３ｅには、上下方向に離隔して、左右方向に延びる一対のホルダ係合部１３ｇ，１３ｈが設けられている。また、ホルダ係合部１３ｇ，１３ｈそれぞれの外側の近接位置に、ばね収容部１３ｊ，１３ｋが隣接設置されている。
【００３０】
ホルダ係合部１３ｇの断面形状は、図５のＳ０６−Ｓ０６位置の断面図である図６に示されている。ホルダ係合部１３ｈの断面形状は上下対称形状となる。
図５及び図６に示されるように、ホルダ係合部１３ｇは、断面略Ｌ字状の係合壁部１３ｇ１を有する。より詳しくは、係合壁部１３ｇ１は先端部から内側へ張り出して左右に離隔した一対の鍔部１３ｇ２を有する。一対の鍔部１３ｇ２間は欠落部１３ｇ３となっている。
ホルダ係合部１３ｈも同様形状であって、係合壁部１３ｈ１は、先端部から内側へ張り出して左右に離隔した一対の鍔部１３ｈ２を有する。一対の鍔部１３ｈ２の間は欠落部１３ｈ３となっている。
【００３１】
ばね収容部１３ｊ，１３ｋは、それぞれスライド用コイルばね３２，３３を収めると共に、スライド用コイルばね３２，３３の左端の位置を規制するよう立設された規制壁１３ｊ１，１３ｋ１を有する。
【００３２】
ロック解除ノブ１２は、図４に示されるように、押さえ板１７により、操作部１２ｃを開口部１３ｄに進入係合させた状態で、蓋１３の内面１３ｅとの間に挟まれて上下動可能に支持される。
ロック解除ノブ１２は、ばね受けリブ１３ｅ３との間に介装されたノブ用コイルばね３１の圧縮反発力により、自然状態で、操作部１２ｃが開口部１３ｄの上端に当接する位置まで上方に付勢されている。
【００３３】
次に、ホルダ１５について図４，図８及び図９を参照して説明する。
図８は、蓋体１１の閉状態におけるホルダ１５単体の後方視平面図である。
図９は、図８におけるＳ０９−Ｓ０９位置での断面図である。
【００３４】
ホルダ１５は、蓋１３よりも一回り小さく上下に長い長丸状を呈し、その材質例はガラス繊維強化ＰＣ（ポリカーボネート）樹脂である。
ホルダ１５の右縁部には、上下方向にシャフト１８（図４）が挿通されて、筐体１ａに対し軸線ＣＬ１１まわりに回動可能なヒンジ部１４を構成するホルダヒンジ部１５１４が形成されている（図８においてホルダヒンジ部１５１４の形状は単純化してある）。
シャフト１８にはねじりコイルばね３４が外装され、そのねじり反発力によって、ホルダ１５は、既述のように筐体１ａに対し上方視で反時計まわり方向（開く方向）に付勢されている。
【００３５】
ホルダ１５は、蓋１３と対向する後面１５ｓにおいて、上下に離隔し、蓋１３のホルダ係合部１３ｇ，１３ｈと係合する蓋係合部１５ｇ，１５ｈを有する。
蓋係合部１５ｇ，１５ｈは、係合壁部１５ｇ１，１５ｈ１と、係合壁部１５ｇ１，１５ｈ１の先端から上下外方へ張り出すように左右方向に離隔形成された一対の鍔部１５ｇ２，１５ｈ２と、を有して、外方に開いた断面コ字状に形成され、一対の間が欠落部１５ｇ３，１５ｈ３とされている。
【００３６】
ホルダ１５は、蓋１３のばね収容部１３ｊ，１３ｋに対応してスライド用コイルばね３２，３３をそれぞれ収容するばね収容部１５ｊ，１５ｋを有する。
ばね収容部１５ｊ，１５ｋは、それぞれスライド用コイルばね３２，３３を収めると共に、スライド用コイルばね３２，３３の右端の位置を規制するよう立設された規制壁１５ｊ１，１５ｋ１を有する。
また、ばね収容部１５ｊ，１５ｋにおいて、規制壁１５ｊ１，１５ｋ１から遠い側は、Ｕ字状に抉られた保持部１５ｊ２，１５ｋ２とされ、近い側は前後に抜けた孔である開口部１５ｊ３，１５ｋ３とされている。
【００３７】
ホルダ１５は、図８の紙面手前側に突出し、紙面反対側から一対のねじＮ２（図４）を螺着するための下穴１５ｍ１を有する一対のねじ受け部１５ｍ，１５ｍを有する。
【００３８】
パッキンプレート１６は、ホルダ１５の外形及びサイズ共に対応した形状を呈する板状部材である。
パッキンプレート１６は、外形より一回り小さいステンレスなどの金属製の基板材１６ｂと、基板材１６ｂをほぼ全面で覆うシリコーンゴムなどの被覆部１６ｃと、により形成されている。
従って、パッキンプレート１６の周縁部１６ａは、シリコーンゴムのみで形成され、少なくとも延在方向の圧縮弾性を有している。
パッキンプレート１６は、ホルダ１５の一対のねじ受け部１５ｍに対応した位置それぞれに貫通孔１６ｄを有する。
【００３９】
ホルダ１５の後面１５ｓには、一対のカム溝１５ａ，１５ｂが凹部として形成されている。
カム溝１５ａ，１５ｂは同形状につき、カム溝１５ａを代表として次に詳述する。説明は、図１０を主に参照し、蓋体１１の組み立てから蓋開放操作の動作を含めたものとする。
【００４０】
カム溝１５ａの溝幅と、カム溝１５ａ内を摺動するロック解除ノブ１２のボス１２ａの外径と、の差はわずかであり、使用者には遊びのないスライド感触（カム摺動感触）が得られる。
【００４１】
カム溝１５ａは、複数の直線経路が直列接続された経路ＣＲを有する。以下の説明における溝幅の中心となる位置Ｃ１〜Ｃ７は、摺動するボス１２ａの中心位置１２ａ１と実質的に同じである。
【００４２】
経路ＣＲは、位置Ｃ１−Ｃ２の経路ＣＲ１，位置Ｃ２−Ｃ３の経路ＣＲ２，位置Ｃ３−Ｃ４の経路ＣＲ３，位置Ｃ４−Ｃ５の経路ＣＲ４，位置Ｃ５−Ｃ６の経路ＣＲ５，及び位置Ｃ６−Ｃ７の経路ＣＲ６を有する。
【００４３】
位置Ｃ１は、ホルダ１５を、ロック解除ノブ１２を取り付けた蓋１３に組み付ける際の位置である。
詳しくは、スライド用コイルばね３２，３３を未装着の状態で、ロック解除ノブ１２を取り付けた蓋１３に対し、ホルダ１５の鍔部１５ｇ２，１５ｈ２を、蓋１３の欠落部１３ｇ３，１３ｈ３に位置合わせして係合させ組み付ける。この位置合わせでのボス１２ａの中心位置１２ａ１が位置Ｃ１にある。
【００４４】
次いで、スライド用コイルばね３２，３３を、それぞれホルダ１５の開口部１３ｊ３，１３ｋ３からばね収納部１３ｊ，１３ｋ内に圧縮して装着する。
この装着により、スライド用コイルばね３２，３３の圧縮反発力でホルダ１５は左方に付勢され、ボス１２ａは、その中心位置１２ａ１が位置Ｃ２となるよう経路ＣＲ１を移動する。そして、ボス１２ａは左壁Ｃ２ａに当接して左方への移動が規制され、蓋１３とホルダ１５の閉状態の位置決めがなされる。従って、蓋１３を左方に無理に開けようとしても、左壁Ｃ２ａとの当接により左方へのスライド移動は確実に禁止される。
【００４５】
蓋体１１を閉状態から開ける際には、ロック解除ノブ１２をノブ用コイルばね３１による上方付勢力に抗して押し下げる。すると、まずボス１２ａの中心位置１２ａ１がわずかではあるが、位置Ｃ２からＣ３への真下となる経路ＣＲ２を移動する。
この経路ＣＲ２ではボス１２ａは、左壁Ｃ２ａに当接しているので、蓋１３は、スライド用コイルばね３２，３３による左方付勢力が付与されているものの、左方へのスライド移動が禁止されている。
【００４６】
位置Ｃ３を超えてからの経路ＣＲ３は、左下方に傾斜しているので、蓋１３は、ロック解除ノブ１２が下方へ押し下げられつつ左方へ動き出す。すなわち、経路ＣＲ２は、使用者のロック解除ノブ１２の押し下げ操作開始から、左方へのスライド移動開始までに若干のタイムラグをもたせることで、使用者に、鋭敏になりすぎない適切な操作感触を与えることができる。
【００４７】
ボス１２ａの中心位置１２ａ１が位置Ｃ４に達すると（蓋１３が経路ＣＲ３の水平分だけスライドすると）、続く経路ＣＲ４が水平のため、蓋１３は、スライド用コイルばね３２，３３の左方付勢力によって経路ＣＲ４を一気に左方へスライド移動する。
【００４８】
さらに続く経路ＣＲ５も、僅かな上昇経路のため、蓋１３は継続してスムースにスライド移動する。
ここで、ロック解除ノブ１２には、位置Ｃ２以降の押し下げにより、ノブ用コイルばね３１の圧縮量が増し、より強い上方への圧縮反発力を受けているため、傾斜した経路ＣＲ５では、蓋１３に対し、圧縮反発力の経路に沿う方向の分力が作用する。
従って、蓋１３は、スライド用コイルばね３２，３３の水平方向の圧縮反発力の、経路ＣＲ５に沿う方向の分力と、ノブ用コイルばね３１の圧縮反発力の、経路ＣＲ５に沿う方向の分力との合力によって左方へスライド移動する。そのため、蓋１３の経路ＣＲ５のスライド移動は、スムースかつ迅速に行われる。
【００４９】
ロック解除ノブ１２の中心位置１２ａ１が位置Ｃ６に達すると、その先の位置Ｃ７までの最終の経路ＣＲ６は、経路ＣＲ５よりも立ち上がった傾斜経路となっている。この段階で、スライド用コイルばね３２，３３の圧縮量は小さくなって弾性反発力が小さくなっている一方、ノブ用コイルばね３１の圧縮量は依然大きく、かつ経路ＣＲ６がより上方に向く上昇傾斜経路であることから、蓋１３には、ノブ用コイルばね３１の圧縮反発力の、経路ＣＲ６に沿う方向の大きな分力が付与される。
そのため、ボス１２ａは、スライド移動の最終段階で、高速で経路ＣＲ６を経て中心位置１２ａ１が位置Ｃ７に達すると共に、カム溝１５ａにおける位置Ｃ７を中心とする円弧状内壁Ｃ７ａに勢いよく当接する。この当接により「カチッ」という衝突音が生じる。
この衝突音によって、使用者は、スライド移動の完了を把握し、蓋開閉構造Ｋに対する高品質の感触を得る。
【００５０】
蓋１３は、ボス１２ａの中心位置１２ａ１が位置Ｃ７にある場合に、ホルダ１５に対する左右スライド移動のストロークでの最端位置（図２に示される最左位置）にある。
また、ボス１２ａの中心位置１２ａ１が位置Ｃ７を含む経路ＣＲ６の位置Ｃ７に近い範囲にある場合に、係合部Ｋａの係合が解除され、蓋体１１は開放可能な状態にある。
しかしながら、既述のように、パッキンプレート１６が収納部Ｓの開口周壁２１の内面２１ａと強嵌合状態にあり、かつ両部材間の嵌合摩擦力に基づく嵌合維持トルクが、ヒンジ部１４に備えられたねじりコイルばね３４による開方向の回動トルクに勝るように設定されている。
そのため、蓋体１１は、蓋１３が筐体１ａから左方に突出した図２に示される状態で維持される。
また、ロック解除ノブ１２は、ボス１２ａの経路ＣＲ４からＣＲ６への移動で自動的に上昇する（図２：破線矢印ＤＲ３）。
【００５１】
そこで、使用者が蓋１３の突出した部分を指で後方に押し、パッキンプレート１６を収納部Ｓの内面２１ａから離脱させることで、蓋体１１は、ねじりコイルばね３４の回転トルクによって約９０°の開位置に回動する。
【００５２】
蓋体１１を開状態から閉じる際には、蓋体１１を閉じ、パッキンプレート１６を収納部Ｓに強嵌合させる。これにより収納部内が防水状態となる。
蓋１３は、十分押し込まれた回動位置で係合部Ｋａでのスライド係合が可能となるので、使用者は、蓋１３を十分押し込んでから右方に押す。
これにより、ボス１２ａの中心位置１２ａ１は、まず最初に、図１０に示される位置Ｃ７から位置Ｃ６の経路ＣＲ６を移動する。
【００５３】
経路ＣＲ６は上下方向に対する傾斜角度θ６が４５°未満（例えば２３°）で立ち下がる経路であり、その後の経路ＣＲ５が、傾斜角度θ５が４５°以上（例えば７１°）で経路ＣＲ６より水平に近い経路である。
そのため、蓋１３の右方への押し込みで使用者の指に感じる抵抗力は、最初が大きく、そしてすぐに低くなる。
この抵抗力の変化は、使用者には操作のクリック感として感じられる。
これにより、使用者は、スライド移動の開始を把握し、蓋開閉構造Ｋに対する高品質の感触を得る。
【００５４】
さらに、使用者が、蓋体１１を、スライド用コイルばね３２，３３及びノブ用コイルばね３１に基づく左方付勢の分力の合力に抗して右方に押して移動させると、ボス１２ａは経路ＣＲ５を図１０の右方に移動し、中心位置１２ａ１が位置Ｃ５から経路ＣＲ４を経て位置Ｃ４に達する。
位置Ｃ４以降の経路ＣＲ３は、上下方向に対する傾斜角度θ３が４５°未満（例えば２２°）であるから、ノブ用コイルばね３１の上方への圧縮反発力が大きく作用し、ボス１２ａは、自動的に経路ＣＲ３及び経路ＣＲ２を経て、その中心位置１２ａ１はロック位置である位置Ｃ２に達し維持される。
【００５５】
また、ボス１２ａは、その中心位置１２ａ１が位置Ｃ２に達したときに、カム溝１５ａにおける位置Ｃ２を中心とする円弧状内壁Ｃ２ｂに勢いよく当接するので「カチッ」という衝突音が発生する。
この衝突音によって、使用者は、蓋体１１のロック完了を把握し、蓋開閉構造Ｋに対する高品質の感触を得る。
【００５６】
以上詳述した蓋開閉構造Ｋにおける蓋１３とホルダ１５との係合関係、及びロック解除ノブ１２のボス１２ａ，１２ｂとカム溝１５ａ，１５ｂとの摺動関係、及びノブ用コイルばね３１とスライド用コイルばね３２，３３の圧縮反発力の力点関係を、模式的に図１１に示してある。
【００５７】
図１１に示されるように、蓋開閉構造Ｋは、上下方向の中央に位置する中央水平線ＬＮｈに対し、カム溝１５ａ，１５ｂがほぼ等距離の上下位置にそれぞれ配置されている。
カム溝１５ａ，１５ｂに対し係合摺動するボス１２ａ，１２ｂは、上下に延びる同一の線ＬＮ１２上に位置し〔図７（ｂ）参照〕、ノブ用コイルばね３１は、線ＬＮ１２を軸としてロック解除ノブ１２すなわちボス１２ａ，１２ｂを上方に圧縮反発力Ｆ３１にて付勢している。
すなわち、圧縮反発力Ｆ３１がロック解除ノブ１２に付与される力点と、ロック解除ノブ１２のボス１２ａ，１２ｂがカム溝１５ａ，１５ｂに作用する作用点とが実質的に同一の線ＬＮ１２上にある。
従って、ノブ用コイルばね３１の圧縮反発力Ｆ３１は、蓋体１１に対して回転モーメントを発生させないので、蓋体１１の開閉動作におけるスライド移動は、傾くことなく円滑に行われる。
【００５８】
図１１に示されるように、蓋開閉構造Ｋは、蓋体１１を、軸線ＣＬ１１に沿う方向（上下方向）で上部と下部とに二分した際の、一方側（上部）に第１の係合部（ホルダ係合部１３ｇ及び蓋係合部１５ｇ）が設けられ、他方側（下部）に第２の係合部（ホルダ係合部１３ｈ及び蓋係合部１５ｈ）が設けられている。
蓋体１１を上部と下部とに二分する境界線は、例えば上述のように上下方向の中央の中央水平線ＬＮｈとし、この中央水平線ＬＮｈに対し、ホルダ係合部１３ｇ，１３ｈと蓋係合部１５ｇ，１５ｈとの係合部位が、上下のほぼ対称位置に配置されている。
具体的には、係合ラインＬＮｇ２，ＬＮｈ２の、中央水平線ＬＮｈからの距離である距離Ｈｇと距離Ｈｈとは、等しくなっている。
【００５９】
さらに、蓋１３とホルダ１５とを、左右方向に付勢するスライド用コイルばね３２，３３の作用線ＬＮ３２，ＬＮ３３は、係合ラインＬＮｇ２，ＬＮｈ２それぞれの外側に近接して位置し、作用線ＬＮ３２と係合ラインＬＮｇ２との距離Ｈｇ２と、作用線ＬＮ３３と係合ラインＬＮｈ２との距離Ｈｈ２とは、等しく、接近により小さく設定されている。
これにより、蓋１３及びホルダ１５に対するスライド用コイルばね３２，３３の圧縮反発力Ｆ３２，Ｆ３３による回転モーメントは、ほとんど発生せず、仮に発生しても互いに作用方向が相殺されてほとんど無視できる大きさに抑制される。
従って、蓋体１１の開閉動作は、蓋体１１の大きさ及び形状によらず、傾くことなく円滑に行われる。
【００６０】
上述のように、蓋開閉構造Ｋは、蓋体１１の開閉動作におけるスライド移動に関わるノブ用コイルばね３１及びスライド用コイルばね３２，３３の圧縮反発力Ｆ３１及び圧縮反発力Ｆ３２，Ｆ３３は、蓋１３のホルダ１５に対するスライド移動に回転モーメントを実質的に与えることなく、スライド移動の補助力として作用すると共に、使用者の開閉操作の感触を向上させる。
【００６１】
また、蓋開閉構造Ｋは、蓋体１１の閉状態で、開放回動を禁止する係合部Ｋａとして蓋１３の長手方向の両端部に上係合部Ｋａ１及び下係合部Ｋａ２を備え、さらに、側縁部に側方係合部Ｋａ３を備えている。
すなわち、蓋体１１の回動の軸線ＣＬ１１に沿った２箇所の端部と、軸線ＣＬ１１から最も離れた縁部と、で開放回動を規制している。
これにより、蓋体１１が大きく、又は一方向に長い形状であっても、収納部Ｓを防水状態とする閉状態をより確実に維持できる。
【００６２】
以上詳述した実施例は、上述の構成に限定されるものではなく、本発明の要旨を逸脱しない範囲において変形した変形例としてもよい。
【００６３】
蓋開閉構造Ｋを備える電子機器は、上述のビデオカメラ５１に限定されるものではない。ハンディトランシーバなどの無線機器や携帯端末などの情報処理装置など種々の機器に適用可能である。
また、蓋開閉構造Ｋは、電子機器に対し、防塵機能を発揮すべく適用されてもよい。
上述における上下左右前後の各方向は、電子機器がビデオカメラ５１の場合の説明の便宜上設定したものであり、蓋開閉構造Ｋの姿勢や使用態様を限定するものではない。従って、蓋体１１の回動方向は水平方向に限らず、任意の方向であってよい。
【００６４】
ロック解除ノブ１２を付勢するノブ用コイルばね３１、及び蓋１３をスライド方向に付勢するスライド用コイルばね３２，３３は、圧縮コイルばねに限定されるものではなく、他の形態の付勢部材に置き換えてよい。例えば、引っ張りコイルばねであってもよいし、板ばねであってもよい。
ボス１２ａ，１２ｂが摺動するカムは、上述の溝としてのカム溝１５ａ，１５ｂに限定されない。例えば、段差やリブ状のカムとしてもよい。
蓋１３がホルダ１５に対してスライドする方向は、ヒンジ部１４の軸線ＣＬ１１に対し直交方向でなくてもよく、交わる方向であってもよい。
【符号の説明】
【００６５】
１  本体部
１ａ  筐体、    １ａ１  上溝部、    １ａ２  下溝部
１ａ３  ポケット部、    １ｂ  上面、    １ｂ１  ズームボタン
１ｃ  後面、    １ｃ１  録画ボタン
２  画像表示部
３  グリップベルト
１１  開閉蓋体（蓋体）
１２  ロック解除ノブ
１２ａ，１２ｂ  ボス（摺動子）、    １２ａ１  中心位置
１２ｃ  操作部
１３  蓋
１３ａ  左縁部、    １３ｂ１  上リブ、    １３ｂ２  下リブ
１３ｂ３  側方リブ、    １３ｄ  開口部、    １３ｅ  内面
１３ｅ１  係止部、    １３ｅ２  ねじ受けボス
１３ｅ３  ばね受けリブ、    １３ｆ  周壁部
１３ｇ，１３ｈ  ホルダ係合部、    １３ｇ１，１３ｈ１  係合壁部
１３ｇ２，１３ｈ２  鍔部、    １３ｇ３，１３ｈ３  欠落部
１３ｊ，１３ｋ  ばね収容部、    １３ｊ１，１３ｋ１  規制壁
１４  ヒンジ部
１５  ホルダ
１５ａ，１５ｂ  カム溝、    １５ｇ，１５ｈ  蓋係合部
１５ｇ１，１５ｈ１  係合壁部、    １５ｇ２，１５ｈ２  鍔部
１５ｇ３，１５ｈ３  欠落部、    １５ｊ，１５ｋ  ばね収容部
１５ｊ１，１５ｋ１  規制壁、    １５ｊ２，１５ｋ２  保持部
１５ｊ３，１５ｋ３  開口部、    １５ｍ  ねじ受け部、    １５ｍ１  下穴
１５ｓ  後面、    １５１４  ホルダヒンジ部
１６  パッキンプレート
１６ａ  周縁部、    １６ｂ  基板材、    １６ｃ  被覆部
１６ｄ  貫通孔
１７  押さえ板、    １７ａ  突部
２１  開口周壁、    ２１ａ  内面
３１  ノブ用コイルばね、    ３２,３３  スライド用コイルばね
３４  ねじりコイルばね
４１，４２  カードスロット
４３，４４  接続端子
４５  マイク入力端子
５１  ビデオカメラ（電子機器）
Ｃ１〜Ｃ７  位置、    Ｃ２ａ  左壁、    Ｃ７ａ，Ｃ２ｂ  円弧状内壁
ＣＬ１，ＣＬ１１  軸線、    ＣＲ，ＣＲ１〜ＣＲ６  経路
Ｆ３１，Ｆ３２，Ｆ３３  圧縮反発力
Ｈｇ，Ｈｈ，Ｈｇ２，Ｈｈ２  距離
ＬＮｇ２，ＬＮｈ２  係合ライン、    ＬＮｈ  中央水平線、    ＬＮ１２  線
ＬＮ３２，ＬＮ３３  作用線
Ｋ  蓋開閉構造
Ｋａ  係合部、    Ｋａ１  上係合部、    Ｋａ２  下係合部
Ｋａ３  側方係合部
Ｎ１，Ｎ２  ねじ
Ｓ  収納部、    Ｓａ  開口部
θ３，θ５，θ６  傾斜角度
【図１】
2019102764.tif 000003
【図２】
2019102764.tif 000004
【図３】
2019102764.tif 000005
【図４】
2019102764.tif 000006
【図５】
2019102764.tif 000007
【図６】
2019102764.tif 000008
【図７】
2019102764.tif 000009
【図８】
2019102764.tif 000010
【図９】
2019102764.tif 000011
【図１０】
2019102764.tif 000012
【図１１】
2019102764.tif 000013